(57)【要約】   この発明に係わるガス絶縁開閉装置は、ベローズを貫通する可動導体の一方側に設けられた可動接点と固定導体に設けられた固定接点を真空中に有する真空バルブと、真空バルブのベローズを貫通する可動導体の他方側と連結された絶縁ロッドと、絶縁ロッドおよび可動導体の他方側が収納され真空バルブを電気的に絶縁して支持する絶縁支持物とが圧力タンク内に配設され、圧力タンクの可動側端部に配設され絶縁ロッドと接続された操作機構を収納する操作箱を備えたガス絶縁開閉装置において、真空バルブのベローズの内周側空間と、絶縁支持物の内部空間と、操作箱の内部空間とは連通するように構成され、これら空間内の圧力を圧力タンク内の圧力よりも低く構成したものである。
2012063501.tif 000002
【特許請求の範囲】
【請求項１】
ベローズを貫通する可動導体の一方側に設けられた可動接点と固定導体に設けられた固定接点を真空中に有する真空バルブと、前記真空バルブのベローズを貫通する前記可動導体の他方側と連結された絶縁ロッドと、前記絶縁ロッドおよび前記可動導体の他方側が収納され前記真空バルブを電気的に絶縁して支持する絶縁支持物とが圧力タンク内に配設され、前記圧力タンクの可動側端部に配設され前記絶縁ロッドと接続された操作機構を収納する操作箱を備えたガス絶縁開閉装置において、前記真空バルブの前記ベローズの内周側空間と、前記絶縁支持物の内部空間と、前記操作箱の内部空間とは連通するように構成され、これら空間内の圧力を前記圧力タンク内の圧力よりも低く構成したことを特徴とするガス絶縁開閉装置。
【請求項２】
ベローズを貫通する可動導体の一方側に設けられた可動接点と固定導体に設けられた固定接点を真空中に有する真空バルブと、前記真空バルブのベローズを貫通する前記可動導体の他方側と連結された絶縁ロッドと、前記絶縁ロッドおよび前記可動導体の他方側が収納され前記真空バルブを電気的に絶縁して支持する絶縁支持物とが圧力タンク内に配設され、前記圧力タンクの可動側端部に配設され前記絶縁ロッドと接続された操作機構を収納する操作箱を備えたガス絶縁開閉装置において、前記真空バルブの前記ベローズの内周側空間と、前記絶縁支持物の内部空間と、前記操作箱の内部空間と、前記操作箱の外部空間とは連通するように構成され、これら空間内の圧力を前記圧力タンク内の圧力よりも低く構成したことを特徴とするガス絶縁開閉装置。
【請求項３】
ベローズを貫通する可動導体の一方側に設けられた可動接点と固定導体に設けられた固定接点を真空中に有する真空バルブと、前記真空バルブのベローズを貫通する前記可動導体の他方側と連結された絶縁ロッドと、前記絶縁ロッドおよび前記可動導体の他方側が収納され前記真空バルブを電気的に絶縁して支持する絶縁支持物とが圧力タンク内に配設され、前記圧力タンクの可動側端部に配設され前記絶縁ロッドと接続された操作機構を収納する操作箱を備えたガス絶縁開閉装置において、前記真空バルブの前記ベローズの内周側空間と、前記絶縁支持物の内部空間と、前記操作箱の内部空間とは連通するように構成され、これら空間内の圧力を前記圧力タンク内の圧力よりも低く構成するとともに前記操作箱は前記操作箱の外部空間と密封されたことを特徴とするガス絶縁開閉装置。
【請求項４】
前記絶縁支持物の内部に、前記絶縁ロッドと前記可動導体の他方側との連結端部より前記圧力タンクの可動側端部に近い箇所まで延伸し、先端に前記絶縁ロッドと前記可動導体の他方側との連結端部の電界を緩和する電界緩和シールドを配設したことを特徴とする請求項１〜請求項３のいずれか1項に記載のガス絶縁開閉装置。
【請求項５】
前記絶縁支持物の外部に、前記絶縁ロッドと前記可動導体の他方側との連結端部より前記圧力タンクの可動側端部に近い箇所まで延伸し、先端に前記絶縁ロッドと前記可動導体の他方側との連結端部の電界を緩和する電界緩和シールドを配設したことを特徴とする請求項１〜請求項３のいずれか1項に記載のガス絶縁開閉装置。
【発明の詳細な説明】
【技術分野】
【０００１】
この発明は、例えば、電力の送配電および受電設備などに用いられるガス絶縁開閉装置に関し、特に絶縁性ガスを封入した圧力タンク内に真空バルブを収納したガス絶縁開閉装置に関するものである。
【背景技術】
【０００２】
従来、例えば、電力の送配電および受電設備などに用いられるガス絶縁開閉装置としては、特許文献１（特開２００７−３０６７０１号公報）に示されるものがある。【０００３】
真空バルブのベローズ部の差圧を小さくするため、真空バルブ可動部の一部（絶縁ロッドは高気圧）と可動部に接続された円筒導体の内側を大気と連通させている。【０００４】
すなわち、真空バルブである真空インタラプタ１０のベローズ２５の内周側を大気圧とするために、ベローズ２５の内周側と連通する部分であって、高電界が加わらない部分を大気圧とする。具体的には、可動側導体３５内、サポート７内及び可動側コンタクトケース８内を大気圧とする。【０００５】
そのために、可動側導体３５の外周と可動側コンタクトケース８の筒状部８ａとの間、サポート７と可動側コンタクトケース８との間及び真空インタラプタ１０の可動側端板２４と可動側コンタクトケース８との間に気密シール部である高温シール部（高温でシールする部分）３７〜３９を設け、また絶縁支持筒５内を高圧力の乾燥空気とするために、絶縁操作ロッド１２とサポート７との間に気密シール部である直線シール部４０を設ける。【０００６】
【特許文献１】特開２００７−３０６７０１号公報
【発明の開示】
【発明が解決しようとする課題】
【０００７】
上述した従来のガス絶縁開閉装置は、真空バルブである真空インタラプタ１０の可動部にスライド状の気密シール部である直線シール部４０，４１を有するため、気密を確保させながら摺動させるための専用パッキンが必要となるとともに、直線シール部４０，４１は異物の付着、混入および構成部品の傷に対して敏感な構造となるので、長期間気密を保つために、構成部品に高い品質が要求され、また、それらの実現のためにコスト高となるという問題点があった。【０００８】
また、直線シール部４０，４１を気密に保たれて貫挿された絶縁操作ロッド１２および絶縁操作ロッド１２が連結された操作機構の駆動力対策が必要となる。それらは摩擦荷重が大きいため、絶縁操作ロッド１２が連結された操作機構に多大な操作エネルギーが必要となるという問題点があった。【０００９】
また、高温シール部３７〜３９については、高温に耐えるパッキンを適用するなど高コストとなるという問題点があった。【００１０】
また、ベローズ２５の内周側を大気圧とするために、可動側導体３５内、サポート７内及び可動側コンタクトケース８内を大気圧としている。しかし、大気の取り入れは、２ｍ〜３ｍの高さであるブッシング１６の上端のブッシング端子２０の通気口部２０ａからである。【００１１】
ここで、ガス絶縁開閉装置の設置環境によっては、高湿度や汚損性雰囲気（ＮＯｘ、ＳＯｘなど）によって、大気が触れる円筒状の可動側導体３５内面などが腐食される恐れがある。また、汚損、腐食を防止するための対策が必要となる。また、この部分を密封させるためには、ガス封入口を高電圧部に設ける必要があり、実用上不可能である。【００１２】
この発明は、上記のような課題を解決するためになされたものであり、その目的は、真空バルブのベローズ部の差圧を小さくすることができるガス絶縁開閉装置を提供するものである。
【課題を解決するための手段】
【００１３】
この発明に係わるガス絶縁開閉装置は、ベローズを貫通する可動導体の一方側に設けられた可動接点と固定導体に設けられた固定接点を真空中に有する真空バルブと、前記真空バルブのベローズを貫通する前記可動導体の他方側と連結された絶縁ロッドと、前記絶縁ロッドおよび前記可動導体の他方側が収納され前記真空バルブを電気的に絶縁して支持する絶縁支持物とが圧力タンク内に配設され、前記圧力タンクの可動側端部に配設され前記絶縁ロッドと接続された操作機構を収納する操作箱を備えたガス絶縁開閉装置において、前記真空バルブの前記ベローズの内周側空間と、前記絶縁支持物の内部空間と、前記操作箱の内部空間とは連通するように構成され、これら空間内の圧力を前記圧力タンク内の圧力よりも低く構成したものである。【００１４】
ベローズを貫通する可動導体の一方側に設けられた可動接点と固定導体に設けられた固定接点を真空中に有する真空バルブと、前記真空バルブのベローズを貫通する前記可動導体の他方側と連結された絶縁ロッドと、前記絶縁ロッドおよび前記可動導体の他方側が収納され前記真空バルブを電気的に絶縁して支持する絶縁支持物とが圧力タンク内に配設され、前記圧力タンクの可動側端部に配設され前記絶縁ロッドと接続された操作機構を収納する操作箱を備えたガス絶縁開閉装置において、前記真空バルブの前記ベローズの内周側空間と、前記絶縁支持物の内部空間と、前記操作箱の内部空間と、前記操作箱の外部空間とは連通するように構成され、これら空間内の圧力を前記圧力タンク内の圧力よりも低く構成したものである。【００１５】
ベローズを貫通する可動導体の一方側に設けられた可動接点と固定導体に設けられた固定接点を真空中に有する真空バルブと、前記真空バルブのベローズを貫通する前記可動導体の他方側と連結された絶縁ロッドと、前記絶縁ロッドおよび前記可動導体の他方側が収納され前記真空バルブを電気的に絶縁して支持する絶縁支持物とが圧力タンク内に配設され、前記圧力タンクの可動側端部に配設され前記絶縁ロッドと接続された操作機構を収納する操作箱を備えたガス絶縁開閉装置において、前記真空バルブの前記ベローズの内周側空間と、前記絶縁支持物の内部空間と、前記操作箱の内部空間とは連通するように構成され、これら空間内の圧力を前記圧力タンク内の圧力よりも低く構成するとともに前記操作箱は前記操作箱の外部空間と密封されたものである。
【発明の効果】
【００１６】
この発明に係わるガス絶縁開閉装置によれば、真空バルブのベローズの内周側空間と、絶縁支持物の内部空間と、操作箱の内部空間とは連通するように構成され、これら空間内の圧力を前記圧力タンク内の圧力よりも低く構成したことにより、真空バルブのベローズ部の差圧を小さくすることができるガス絶縁開閉装置を得ることができる。
【図面の簡単な説明】
【００１７】
【図１】この発明の実施の形態１に係わるガス絶縁開閉装置を示す断面図である。
【図２】この発明の実施の形態１に係わるガス絶縁開閉装置を示す要部拡大断面図である。
【図３】この発明の実施の形態２に係わるガス絶縁開閉装置を示す要部拡大断面図である。
【図４】この発明の実施の形態３に係わるガス絶縁開閉装置を示す要部拡大断面図である。
【図５】従来のガス絶縁開閉装置を示す要部拡大断面図である。
【発明を実施するための形態】
【００１８】
実施の形態１．
以下、この発明の実施の形態１を図１に基づいて説明するが、各図において、同一、または相当部材、部位については同一符号を付して説明する。図１はこの発明の実施の形態１に係わるガス絶縁開閉装置を示す断面図である。図２はこの発明の実施の形態１に係わるガス絶縁開閉装置を示す要部拡大断面図である。
【００１９】
１０１はガス絶縁開閉装置を示す。電気的に接地された圧力タンク１０２は、胴部１０２ａを水平にして設置されており、その両端には可動側開口部１０２ｂ、固定側開口部１０２ｃが設けられている。なお、圧力タンク１０２の内部空間Ａには、絶縁性ガスとして、乾燥空気や窒素、二酸化炭素といった絶縁性ガスが高圧力で封入されている。なお、この実施の形態１における絶縁性ガスとして、例えば温暖化係数がほぼ零で地球温暖化防止に有効な乾燥空気が高圧力で封入されている。
【００２０】
また、圧力タンク１０２の上方には可動側開口部１０２ｄ、固定側開口部１０２ｅが設けられ、可動側開口部１０２ｄ、固定側開口部１０２ｅとそれぞれ同軸を成す可動側枝管１０２ｆ、固定側枝管１０２ｇおよびそれらを接続するフランジから構成されている。可動側枝管１０２ｆ、固定側枝管１０２ｇのそれぞれの外周部には電流を測定するための変流器１０７ａ，１０７ｂが設置されている。
【００２１】
圧力タンク１０２内には真空バルブ１４０が胴部１０２ａと空隙を介して設置されている。この真空バルブ１４０は、セラミック等の絶縁材料からなる筒状の真空容器１４１と、この真空容器１４１内に収容され、一端が真空容器１４１の固定側端部１４１aを気密封止する端板１４２に接合された固定導体１４３と、この固定導体１４３と接離可能に設けられ他端が真空容器１４１の可動側端部１４１bを気密封止する端板１４６に装着されたベローズ１４４を介して真空容器１４１外に伸びる可動導体１４５とで構成されている。
【００２２】
圧力タンク１０２の外部には固定接点１４３ａと可動接点１４５ａとを接離開閉する操作機構１０３が設けられている。操作機構１０３は、操作ロッド１０５および絶縁ロッド１０６を介して可動導体１４５を水平方向に移動させることで、固定接点１４３ａと可動接点１４５ａを接離開閉する。このとき、ベローズ１４４が可動導体１４５の移動に追従するので、真空バルブ１４０内の真空は保持される。
【００２３】
なお、絶縁ロッド１０６は、その両端を操作ロッド１０５および可動導体１４５と連結されており（図中はピン連結）、可動導体１４５と操作ロッド１０５とを電気的に絶縁できる絶縁距離を確保しながら接続されている。１５０は絶縁ロッド１０６と可動導体１４５との連結部である。
【００２４】
真空バルブ１４０の両端には、可動側シールド１５１および固定側シールド１５２が設けられている。真空バルブ１４０の固定側端部１４１ａおよび可動側端部１４１ｂを覆うような形状を有しており、固定側端板１４２および可動側端板１４６に接続されている。また、可動側シールド１５１および固定側シールド１５２は、可動側絶縁支持物１３１および固定側絶縁支持物１３２によって、圧力タンク１０２との絶縁を保ちながら、機械的に保持されている。可動側絶縁支持物１３１および固定側絶縁支持物１３２は絶縁性樹脂により形成されている。
【００２５】
可動側シールド１５１および固定側シールド１５２には、可動側碍管１２０ａおよび固定側碍管１２０ｂ上部まで繋がる可動側外部導体１２１および固定側外部導体１２２が挿入される形で接続されている。
【００２６】
このようなガス絶縁開閉装置は、例えば、固定側碍管１２０ｂ上部から引き込まれた電力を真空バルブ１４０を介してまた可動側碍管１２０ａ上部に引き出す構造である。通常流れている電流および電力系統において、電気的な事故（地絡、短絡）が起きた際に発生する事故電流を真空バルブ１４０で遮断することで、周辺の機器への事故の波及を防ぐ機能がある。
【００２７】
図２はこの発明の実施の形態１に係るガス絶縁開閉装置１０１の要部拡大断面図を示している。すなわち、真空バルブ１４０の可動側周辺の拡大構造を示すものである。この実施の形態１においては、真空バルブ１４０のベローズ１４４の内周側空間Ｂと、可動側シールド１５１の内部空間Ｃと、可動側絶縁支持物１３１の内部空間Ｄと、操作箱１０４の内部空間Ｅとは連通するように構成され、さらに、圧力タンク１０２外である操作箱１０４の外部空間Ｆとが連通された構成となっており、これら各空間は同一圧力、すなわち、大気圧の空間に構成され、これら空間内の圧力を圧力タンク１０２の内部空間Ａの圧力よりも低く構成している。そのためには、固定シール部１３３〜１３６が必要である。このうち、固定シール部１３５および固定シール部１３６は可動側シールド１５１の温度が高くなる可能性があるため、耐熱性材料で構成されている。
【００２８】
すなわち、ベローズ１４４の内周側を大気圧とするために、圧力タンク１０２近傍の操作箱１０４周辺から大気を取り入れることができるので、大気を取り入れる箇所のフィルタ点検・交換などが簡易な作業で行うことができる。
【００２９】
また、この実施の形態１では、気密を保ちながら操作ロッド１０５もしくは可動導体１４５が摺動する直線シール部を必要としないため、各空間Ｂ〜Ｅの気密度は信頼性の高いものとなる。加えて、操作機構１０３に求められる操作エネルギーを縮小することができるため、操作機構１０３の縮小化、簡素化、低コスト化を図ることができる。
【００３０】
また、可動側シールド１５１が、真空バルブ１４０の可動側端部１４１bの電界緩和機能と可動側絶縁支持物１３１との固定機能、さらに、可動側外部導体１２１との接続機能が一つの部品に集約されていることで、上述した従来装置と比較してシール箇所を削減することができ、経済性に優れたものである。
【００３１】
ところで、真空バルブ１４０のベローズ１４４の内周側空間Ｂと、可動側シールド１５１の内部空間Ｃと、可動側絶縁支持物１３１の内部空間Ｄと、操作箱１０４の内部空間Ｅを湿度や汚損大気の影響を防ぎたい場合には、操作機構１０３を収納する操作箱１０４の内部に例えば乾燥剤を配置し、操作箱１０４のふた板１１２への取り付け部や操作箱１０４自身の継ぎ目をパッキンや溶接などによってふさぐことでその目的は達成される。
【００３２】
さらに、可動側絶縁支持物１３１の樹脂内部には、固定用の埋金に連接した電界緩和シールド１５３が配設されている。この電界緩和シールド１５３は、例えば、銅網、アルミダイキャスト、導電性プラスチックなどで構成される。そして、電界緩和シールド１５３の先端は絶縁ロッド１０６と可動導体１４５の他方側との連結端部１５０よりも圧力タンク１０２の可動側端部に近い箇所、すなわち、ふた板１１２に近い位置まで延伸させて配置することにより、連結端部１５０周辺の電界を緩和することができる。絶縁ロッド１０６周辺は圧力が低い大気で覆われているため、連結部１５０および絶縁ロッド１０６の沿面電界を十分に低減させる必要があるが、この電界緩和シールド１５３によってその電界緩和が可能となる。
【００３３】
以上のように、この実施の形態１によれば、真空バルブ１４０のベローズ１４４部の差圧を小さくすることができ、ベローズ１４４部に発生する機械的応力を緩和し、その結果機械的寿命を延ばすことができる。さらに、真空バルブ１４０の可動部に、圧力タンク１０２の高気圧部との間の気密機能が必要とならないため、気密部の信頼性が向上し、構成部品を安価にできる。
【００３４】
実施の形態２．
この発明の実施の形態２に係わるガス絶縁開閉装置を図３に基づいて説明する。図３はこの発明の実施の形態２に係わるガス絶縁開閉装置を示す要部拡大断面図である。
【００３５】
この実施の形態２においては、電界緩和シールド１５４が可動側絶縁支持物１３１の外部に配設されており、可動側シールド１５１と連接している。この構造によって、可動側絶縁支持物１３１の樹脂内部に設ける構造より容易に可動側絶縁支持物１３１を製作することができる。
【００３６】
実施の形態３．
この発明の実施の形態３に係わるガス絶縁開閉装置を図４に基づいて説明する。図４はこの発明の実施の形態３に係わるガス絶縁開閉装置を示す要部拡大断面図である。
【００３７】
この実施の形態３においては、真空バルブ１４０のベローズ１４４の内周側空間Ｂと、可動側シールド１５１の内部空間Ｃと、可動側絶縁支持物１３１の内部空間Ｄと、操作箱１０４の内部空間Ｅとは連通するように構成され、これら空間Ｂ〜Ｅ内の圧力を圧力タンク１０２内の圧力よりも低く構成するとともに、操作箱１０４はシール部１３７を設けて操作箱１０４の外部空間Ｆと密封された構成としたものである。各空間の圧力関係は、Ａ＞Ｂ〜Ｅ＞Ｆ（大気）となるように構成される。
【００３８】
すなわち、操作箱１０４は圧力容器となり、空間Ｂ〜Ｅに絶縁性ガス、例えば乾燥空気や窒素などを封入し、圧力タンク１０２よりは低い圧力で、かつ、ベローズ１４４の機械的寿命を損ねない圧力まで上昇させることによって、上述した実施の形態１における大気圧の場合と比較して、絶縁ロッド１０６周辺の絶縁性能をさらに向上させることができる。その結果、可動側絶縁支持物１３１、絶縁ロッド１０６および電界緩和シールド１５３の縮小化、簡素化が図れるとともに、絶縁ロッド１０６と可動導体１４５の他方側との連結端部１５０の簡素化が図れる。したがって、経済性に優れたガス絶縁開閉装置を得ることができる。
【００３９】
ところで、この実施の形態３を上述した実施の形態２にも適用することができ、経済性に優れたガス絶縁開閉装置を得ることができる。
【産業上の利用可能性】
【００４０】
この発明は、真空バルブのベローズ部の差圧を小さくすることができるガス絶縁開閉装置の実現に好適である。
【図１】
2012063501.tif 000003
【図２】
2012063501.tif 000004
【図３】
2012063501.tif 000005
【図４】
2012063501.tif 000006
【図５】
2012063501.tif 000007
【手続補正書】
【提出日】平成24年9月14日(2012.9.14)
【手続補正１】
【補正対象書類名】特許請求の範囲
【補正対象項目名】全文
【補正方法】変更
【補正の内容】
【特許請求の範囲】
【請求項１】
ベローズを貫通する可動導体の一方側に設けられた可動接点と固定導体に設けられた固定接点を真空中に有する真空バルブと、前記真空バルブのベローズを貫通する前記可動導体の他方側と連結された絶縁ロッドと、前記絶縁ロッドおよび前記可動導体の他方側が収納され前記真空バルブを電気的に絶縁して支持する絶縁支持物と、前記真空バルブと前記絶縁支持物との間に介装されて前記真空バルブと前記絶縁支持物を繋ぐ方向に沿って前記可動導体の他方側の外周を囲い電界緩和を行う可動側シールドとが圧力タンク内に配設され、前記圧力タンクの可動側端部に配設され前記絶縁ロッドと接続された操作機構を収納する操作箱を備えたガス絶縁開閉装置であって、前記真空バルブの前記ベローズの内周側空間と、前記絶縁支持物の内部空間と、前記操作箱の内部空間とは連通するように構成され、これら空間内の圧力を前記圧力タンク内の圧力よりも低く構成したことを特徴とするガス絶縁開閉装置。
【請求項２】
ベローズを貫通する可動導体の一方側に設けられた可動接点と固定導体に設けられた固定接点を真空中に有する真空バルブと、前記真空バルブのベローズを貫通する前記可動導体の他方側と連結された絶縁ロッドと、前記絶縁ロッドおよび前記可動導体の他方側が収納され前記真空バルブを電気的に絶縁して支持する絶縁支持物と、前記真空バルブと前記絶縁支持物との間に介装されて前記真空バルブと前記絶縁支持物を繋ぐ方向に沿って前記可動導体の他方側の外周を囲い電界緩和を行う可動側シールドとが圧力タンク内に配設され、前記圧力タンクの可動側端部に配設され前記絶縁ロッドと接続された操作機構を収納する操作箱を備えたガス絶縁開閉装置であって、前記真空バルブの前記ベローズの内周側空間と、前記絶縁支持物の内部空間と、前記操作箱の内部空間と、前記操作箱の外部空間とは連通するように構成され、これら空間内の圧力を前記圧力タンク内の圧力よりも低く構成したことを特徴とするガス絶縁開閉装置。
【請求項３】
ベローズを貫通する可動導体の一方側に設けられた可動接点と固定導体に設けられた固定接点を真空中に有する真空バルブと、前記真空バルブのベローズを貫通する前記可動導体の他方側と連結された絶縁ロッドと、前記絶縁ロッドおよび前記可動導体の他方側が収納され前記真空バルブを電気的に絶縁して支持する絶縁支持物と、前記真空バルブと前記絶縁支持物との間に介装されて前記真空バルブと前記絶縁支持物を繋ぐ方向に沿って前記可動導体の他方側の外周を囲い電界緩和を行う可動側シールドとが圧力タンク内に配設され、前記圧力タンクの可動側端部に配設され前記絶縁ロッドと接続された操作機構を収納する操作箱を備えたガス絶縁開閉装置であって、前記真空バルブの前記ベローズの内周側空間と、前記絶縁支持物の内部空間と、前記操作箱の内部空間とは連通するように構成され、これら空間内の圧力を前記圧力タンク内の圧力よりも低く構成するとともに前記操作箱は前記操作箱の外部空間と密封されたことを特徴とするガス絶縁開閉装置。
【請求項４】
ベローズを貫通する可動導体の一方側に設けられた可動接点と固定導体に設けられた固定接点を真空中に有する真空バルブと、前記真空バルブのベローズを貫通する前記可動導体の他方側と連結された絶縁ロッドと、前記絶縁ロッドおよび前記可動導体の他方側が収納され前記真空バルブを電気的に絶縁して支持する絶縁支持物と、前記真空バルブと前記絶縁支持物との間に介装されて前記真空バルブと前記絶縁支持物を繋ぐ方向に沿って前記可動導体の他方側の外周を囲い電界緩和を行う可動側シールドと、前記可動側シールドに一端が接続され前記絶縁支持物の軸方向に沿った外周部または樹脂内部において前記絶縁支持物の前記真空バルブ側の端部から前記真空バルブとは反対側に向かって延在して配置された電界緩和シールドとが圧力タンク内に配設され、前記圧力タンクの可動側端部に配設され前記絶縁ロッドと接続された操作機構を収納する操作箱を備えたガス絶縁開閉装置であって、前記真空バルブの前記ベローズの内周側空間と、前記絶縁支持物の内部空間と、前記操作箱の内部空間とは連通するように構成され、これら空間内の圧力を前記圧力タンク内の圧力よりも低く構成したことを特徴とするガス絶縁開閉装置。
【請求項５】
前記絶縁支持物の内部に、前記絶縁ロッドと前記可動導体の他方側との連結端部より前記圧力タンクの可動側端部に近い箇所まで延伸し、先端に前記絶縁ロッドと前記可動導体の他方側との連結端部の電界を緩和する電界緩和シールドを配設したことを特徴とする請求項１〜請求項４のいずれか1項に記載のガス絶縁開閉装置。
【請求項６】
前記絶縁支持物の外部に、前記絶縁ロッドと前記可動導体の他方側との連結端部より前記圧力タンクの可動側端部に近い箇所まで延伸し、先端に前記絶縁ロッドと前記可動導体の他方側との連結端部の電界を緩和する電界緩和シールドを配設したことを特徴とする請求項１〜請求項４のいずれか1項に記載のガス絶縁開閉装置。
【請求項７】
前記可動側シールドが、可動側碍管内を貫通して配置された可動側外部導体と前記真空バルブとの間の通電機能を備えていることを特徴とする請求項１〜請求項６のいずれか1項に記載のガス絶縁開閉装置。
【手続補正２】
【補正対象書類名】明細書
【補正対象項目名】００１３
【補正方法】変更
【補正の内容】
【００１３】
この発明に係わるガス絶縁開閉装置は、ベローズを貫通する可動導体の一方側に設けられた可動接点と固定導体に設けられた固定接点を真空中に有する真空バルブと、前記真空バルブのベローズを貫通する前記可動導体の他方側と連結された絶縁ロッドと、前記絶縁ロッドおよび前記可動導体の他方側が収納され前記真空バルブを電気的に絶縁して支持する絶縁支持物と、前記真空バルブと前記絶縁支持物との間に介装されて前記真空バルブと前記絶縁支持物を繋ぐ方向に沿って前記可動導体の他方側の外周を囲い電界緩和を行う可動側シールドとが圧力タンク内に配設され、前記圧力タンクの可動側端部に配設され前記絶縁ロッドと接続された操作機構を収納する操作箱を備えたガス絶縁開閉装置であって、前記真空バルブの前記ベローズの内周側空間と、前記絶縁支持物の内部空間と、前記操作
箱の内部空間とは連通するように構成され、これら空間内の圧力を前記圧力タンク内の圧力よりも低く構成したものである。
【手続補正３】
【補正対象書類名】明細書
【補正対象項目名】００１４
【補正方法】変更
【補正の内容】
【００１４】
ベローズを貫通する可動導体の一方側に設けられた可動接点と固定導体に設けられた固定接点を真空中に有する真空バルブと、前記真空バルブのベローズを貫通する前記可動導体の他方側と連結された絶縁ロッドと、前記絶縁ロッドおよび前記可動導体の他方側が収納され前記真空バルブを電気的に絶縁して支持する絶縁支持物と、前記真空バルブと前記絶縁支持物との間に介装されて前記真空バルブと前記絶縁支持物を繋ぐ方向に沿って前記可動導体の他方側の外周を囲い電界緩和を行う可動側シールドとが圧力タンク内に配設され、前記圧力タンクの可動側端部に配設され前記絶縁ロッドと接続された操作機構を収納する操作箱を備えたガス絶縁開閉装置であって、前記真空バルブの前記ベローズの内周側空間と、前記絶縁支持物の内部空間と、前記操作箱の内部空間と、前記操作箱の外部空間とは連通するように構成され、これら空間内の圧力を前記圧力タンク内の圧力よりも低く構成したものである。
【手続補正４】
【補正対象書類名】明細書
【補正対象項目名】００１５
【補正方法】変更
【補正の内容】
【００１５】
ベローズを貫通する可動導体の一方側に設けられた可動接点と固定導体に設けられた固定接点を真空中に有する真空バルブと、前記真空バルブのベローズを貫通する前記可動導体の他方側と連結された絶縁ロッドと、前記絶縁ロッドおよび前記可動導体の他方側が収納され前記真空バルブを電気的に絶縁して支持する絶縁支持物と、前記真空バルブと前記絶縁支持物との間に介装されて前記真空バルブと前記絶縁支持物を繋ぐ方向に沿って前記可動導体の他方側の外周を囲い電界緩和を行う可動側シールドとが圧力タンク内に配設され、前記圧力タンクの可動側端部に配設され前記絶縁ロッドと接続された操作機構を収納する操作箱を備えたガス絶縁開閉装置であって、前記真空バルブの前記ベローズの内周側空間と、前記絶縁支持物の内部空間と、前記操作箱の内部空間とは連通するように構成され、これら空間内の圧力を前記圧力タンク内の圧力よりも低く構成するとともに前記操作箱は前記操作箱の外部空間と密封されたものである。
また、ベローズを貫通する可動導体の一方側に設けられた可動接点と固定導体に設けられた固定接点を真空中に有する真空バルブと、前記真空バルブのベローズを貫通する前記可動導体の他方側と連結された絶縁ロッドと、前記絶縁ロッドおよび前記可動導体の他方側が収納され前記真空バルブを電気的に絶縁して支持する絶縁支持物と、前記真空バルブと前記絶縁支持物との間に介装されて前記真空バルブと前記絶縁支持物を繋ぐ方向に沿って前記可動導体の他方側の外周を囲い電界緩和を行う可動側シールドと、前記可動側シールドに一端が接続され前記絶縁支持物の軸方向に沿った外周部または樹脂内部において前記絶縁支持物の前記真空バルブ側の端部から前記真空バルブとは反対側に向かって延在して配置された電界緩和シールドとが圧力タンク内に配設され、前記圧力タンクの可動側端部に配設され前記絶縁ロッドと接続された操作機構を収納する操作箱を備えたガス絶縁開閉装置であって、前記真空バルブの前記ベローズの内周側空間と、前記絶縁支持物の内部空間と、前記操作箱の内部空間とは連通するように構成され、これら空間内の圧力を前記圧力タンク内の圧力よりも低く構成したものである。
【手続補正書】
【提出日】平成24年12月5日(2012.12.5)
【手続補正１】
【補正対象書類名】特許請求の範囲
【補正対象項目名】全文
【補正方法】変更
【補正の内容】
【特許請求の範囲】
【請求項１】
ベローズを貫通する可動導体の一方側に設けられた可動接点と固定導体に設けられた固定接点を真空中に有する真空バルブと、前記真空バルブのベローズを貫通する前記可動導体の他方側と連結された絶縁ロッドと、前記絶縁ロッドおよび前記可動導体の他方側が収納され前記真空バルブを電気的に絶縁して支持する絶縁支持物と、前記真空バルブと前記絶縁支持物との間に介装されて前記真空バルブと前記絶縁支持物を繋ぐ方向に沿って前記可動導体の他方側の外周を囲い電界緩和を行う可動側シールドとが圧力タンク内に配設され、前記圧力タンクの可動側端部に配設され前記絶縁ロッドと接続された操作機構を収納する操作箱を備えたガス絶縁開閉装置であって、前記真空バルブの前記ベローズの内周側空間と、前記可動側シールドの内部空間と、前記絶縁支持物の内部空間と、前記操作箱の内部空間とは連通するように構成され、これら空間内の圧力を前記圧力タンク内の圧力よりも低く構成したことを特徴とするガス絶縁開閉装置。
【請求項２】
ベローズを貫通する可動導体の一方側に設けられた可動接点と固定導体に設けられた固定接点を真空中に有する真空バルブと、前記真空バルブのベローズを貫通する前記可動導体の他方側と連結された絶縁ロッドと、前記絶縁ロッドおよび前記可動導体の他方側が収納され前記真空バルブを電気的に絶縁して支持する絶縁支持物と、前記真空バルブと前記絶縁支持物との間に介装されて前記真空バルブと前記絶縁支持物を繋ぐ方向に沿って前記可動導体の他方側の外周を囲い電界緩和を行う可動側シールドとが圧力タンク内に配設され、前記圧力タンクの可動側端部に配設され前記絶縁ロッドと接続された操作機構を収納する操作箱を備えたガス絶縁開閉装置であって、前記真空バルブの前記ベローズの内周側空間と、前記可動側シールドの内部空間と、前記絶縁支持物の内部空間と、前記操作箱の内部空間と、前記操作箱の外部空間とは連通するように構成され、これら空間内の圧力を前記圧力タンク内の圧力よりも低く構成したことを特徴とするガス絶縁開閉装置。
【請求項３】
ベローズを貫通する可動導体の一方側に設けられた可動接点と固定導体に設けられた固定接点を真空中に有する真空バルブと、前記真空バルブのベローズを貫通する前記可動導体の他方側と連結された絶縁ロッドと、前記絶縁ロッドおよび前記可動導体の他方側が収納され前記真空バルブを電気的に絶縁して支持する絶縁支持物と、前記真空バルブと前記絶縁支持物との間に介装されて前記真空バルブと前記絶縁支持物を繋ぐ方向に沿って前記可動導体の他方側の外周を囲い電界緩和を行う可動側シールドとが圧力タンク内に配設され、前記圧力タンクの可動側端部に配設され前記絶縁ロッドと接続された操作機構を収納する操作箱を備えたガス絶縁開閉装置であって、前記真空バルブの前記ベローズの内周側空間と、前記可動側シールドの内部空間と、前記絶縁支持物の内部空間と、前記操作箱の内部空間とは連通するように構成され、これら空間内の圧力を前記圧力タンク内の圧力よりも低く構成するとともに前記操作箱は前記操作箱の外部空間と密封されたことを特徴とするガス絶縁開閉装置。
【請求項４】
ベローズを貫通する可動導体の一方側に設けられた可動接点と固定導体に設けられた固定接点を真空中に有する真空バルブと、前記真空バルブのベローズを貫通する前記可動導体の他方側と連結された絶縁ロッドと、前記絶縁ロッドおよび前記可動導体の他方側が収納され前記真空バルブを電気的に絶縁して支持する絶縁支持物と、前記真空バルブと前記絶縁支持物との間に介装されて前記真空バルブと前記絶縁支持物を繋ぐ方向に沿って前記可動導体の他方側の外周を囲い電界緩和を行う可動側シールドと、前記可動側シールドに一端が接続され前記絶縁支持物の軸方向に沿った外周部または樹脂内部において前記絶縁支持物の前記真空バルブ側の端部から前記真空バルブとは反対側に向かって延在して配置された電界緩和シールドとが圧力タンク内に配設され、前記圧力タンクの可動側端部に配設され前記絶縁ロッドと接続された操作機構を収納する操作箱を備えたガス絶縁開閉装置であって、前記真空バルブの前記ベローズの内周側空間と、前記絶縁支持物の内部空間と、前記操作箱の内部空間とは連通するように構成され、これら空間内の圧力を前記圧力タンク内の圧力よりも低く構成したことを特徴とするガス絶縁開閉装置。
【請求項５】
前記電界緩和シールドは、前記絶縁支持物の内部において前記絶縁支持物の前記真空バルブ側の端部から前記圧力タンクの可動側端部に近い箇所まで延伸して配設されたことを特徴とする請求項４に記載のガス絶縁開閉装置。
【請求項６】
前記電界緩和シールドは、前記絶縁支持物の外部において前記絶縁支持物の前記真空バルブ側の端部から前記圧力タンクの可動側端部に近い箇所まで延伸して配設されたことを特徴とする請求項４に記載のガス絶縁開閉装置。
【請求項７】
前記可動側シールドが、可動側碍管内を貫通して配置された可動側外部導体と前記真空バルブとの間の通電機能を備えていることを特徴とする請求項１〜請求項６のいずれか1項に記載のガス絶縁開閉装置。
【手続補正２】
【補正対象書類名】明細書
【補正対象項目名】００１３
【補正方法】変更
【補正の内容】
【００１３】
この発明に係わるガス絶縁開閉装置は、ベローズを貫通する可動導体の一方側に設けられた可動接点と固定導体に設けられた固定接点を真空中に有する真空バルブと、前記真空バルブのベローズを貫通する前記可動導体の他方側と連結された絶縁ロッドと、前記絶縁ロッドおよび前記可動導体の他方側が収納され前記真空バルブを電気的に絶縁して支持する絶縁支持物と、前記真空バルブと前記絶縁支持物との間に介装されて前記真空バルブと前記絶縁支持物を繋ぐ方向に沿って前記可動導体の他方側の外周を囲い電界緩和を行う可動側シールドとが圧力タンク内に配設され、前記圧力タンクの可動側端部に配設され前記絶縁ロッドと接続された操作機構を収納する操作箱を備えたガス絶縁開閉装置であって、前記真空バルブの前記ベローズの内周側空間と、前記可動側シールドの内部空間と、前記絶縁支持物の内部空間と、前記操作箱の内部空間とは連通するように構成され、これら空間内の圧力を前記圧力タンク内の圧力よりも低く構成したものである。
【手続補正３】
【補正対象書類名】明細書
【補正対象項目名】００１４
【補正方法】変更
【補正の内容】
【００１４】
ベローズを貫通する可動導体の一方側に設けられた可動接点と固定導体に設けられた固定接点を真空中に有する真空バルブと、前記真空バルブのベローズを貫通する前記可動導体の他方側と連結された絶縁ロッドと、前記絶縁ロッドおよび前記可動導体の他方側が収納され前記真空バルブを電気的に絶縁して支持する絶縁支持物と、前記真空バルブと前記絶縁支持物との間に介装されて前記真空バルブと前記絶縁支持物を繋ぐ方向に沿って前記可動導体の他方側の外周を囲い電界緩和を行う可動側シールドとが圧力タンク内に配設され、前記圧力タンクの可動側端部に配設され前記絶縁ロッドと接続された操作機構を収納する操作箱を備えたガス絶縁開閉装置であって、前記真空バルブの前記ベローズの内周側空間と、前記可動側シールドの内部空間と、前記絶縁支持物の内部空間と、前記操作箱の内部空間と、前記操作箱の外部空間とは連通するように構成され、これら空間内の圧力を前記圧力タンク内の圧力よりも低く構成したものである。
【手続補正４】
【補正対象書類名】明細書
【補正対象項目名】００１５
【補正方法】変更
【補正の内容】
【００１５】
ベローズを貫通する可動導体の一方側に設けられた可動接点と固定導体に設けられた固定接点を真空中に有する真空バルブと、前記真空バルブのベローズを貫通する前記可動導体の他方側と連結された絶縁ロッドと、前記絶縁ロッドおよび前記可動導体の他方側が収納され前記真空バルブを電気的に絶縁して支持する絶縁支持物と、前記真空バルブと前記絶縁支持物との間に介装されて前記真空バルブと前記絶縁支持物を繋ぐ方向に沿って前記可動導体の他方側の外周を囲い電界緩和を行う可動側シールドとが圧力タンク内に配設され、前記圧力タンクの可動側端部に配設され前記絶縁ロッドと接続された操作機構を収納する操作箱を備えたガス絶縁開閉装置であって、前記真空バルブの前記ベローズの内周側空間と、前記可動側シールドの内部空間と、前記絶縁支持物の内部空間と、前記操作箱の内部空間とは連通するように構成され、これら空間内の圧力を前記圧力タンク内の圧力よりも低く構成するとともに前記操作箱は前記操作箱の外部空間と密封されたものである。
また、ベローズを貫通する可動導体の一方側に設けられた可動接点と固定導体に設けられた固定接点を真空中に有する真空バルブと、前記真空バルブのベローズを貫通する前記可動導体の他方側と連結された絶縁ロッドと、前記絶縁ロッドおよび前記可動導体の他方側が収納され前記真空バルブを電気的に絶縁して支持する絶縁支持物と、前記真空バルブと前記絶縁支持物との間に介装されて前記真空バルブと前記絶縁支持物を繋ぐ方向に沿って前記可動導体の他方側の外周を囲い電界緩和を行う可動側シールドと、前記可動側シールドに一端が接続され前記絶縁支持物の軸方向に沿った外周部または樹脂内部において前記絶縁支持物の前記真空バルブ側の端部から前記真空バルブとは反対側に向かって延在して配置された電界緩和シールドとが圧力タンク内に配設され、前記圧力タンクの可動側端部に配設され前記絶縁ロッドと接続された操作機構を収納する操作箱を備えたガス絶縁開閉装置であって、前記真空バルブの前記ベローズの内周側空間と、前記絶縁支持物の内部空間と、前記操作箱の内部空間とは連通するように構成され、これら空間内の圧力を前記圧力タンク内の圧力よりも低く構成したものである。
【国際調査報告】
2012063501.tif 000008
2012063501.tif 000009
2012063501.tif 000010
2012063501.tif 000011